(57)【要約】【課題】  取付部強度を確保でき、建物に広く採用可能なアンカー金物と、その金物を埋設したパネルを提供する事により、少ない取付部材で容易にパネルを取付けられるようにし、かつ見栄えの良い建物の壁を実現する。また、アンカー金物をパネルに埋設する際、容易にパネルに埋設可能な構造とする。【解決手段】  折り曲げ加工されたプレート部と、該プレート部に設けた挿通部からなるアンカー金物本体と、該アンカー金物本体を軽量気泡コンクリートパネル内部の補強鉄筋に固定するためのクリップとの組み合わせからなり、前記クリップは、補強鉄筋を包み込むように形成された半筒状部とアンカー金物本体のプレート部を挟み込むためのスリットを有する平行な板状部材からなる側壁部から構成されている。【選択図】    図３
2008156877.tif 000002
【特許請求の範囲】
【請求項１】
折り曲げ加工されたプレート部と、該プレート部に設けた挿通部からなるアンカー金物本体と、該アンカー金物本体を軽量気泡コンクリートパネル内部の補強鉄筋に固定するためのクリップとの組み合わせからなることを特徴とする軽量気泡コンクリートパネル埋設用アンカー金物。
【請求項２】
前記クリップは、補強鉄筋を包み込むように形成された半筒状部とアンカー金物本体のプレート部を挟み込むためのスリットを有する２枚の平行な板状部材からなる側壁部から構成されてなることを特徴とする請求項１に記載の軽量気泡コンクリートパネル埋設用アンカー金物。
【請求項３】
前記クリップのスリット上辺が山形に加工されていることを特徴とする請求項２に記載の軽量気泡コンクリートパネル埋設用アンカー金物。
【請求項４】
前記クリップのスリットが設けられている側壁部が、スリット上部付近で外側に折り曲げられていることを特徴とする請求項２または３に記載の軽量気泡コンクリートパネル埋設用アンカー金物。
【請求項５】
前記クリップのスリット上辺が、鋭角に切削されていることを特徴とする請求項２または３に記載の軽量気泡コンクリートパネル埋設用アンカー金物。
【請求項６】
前記挿通部が、プレート部を貫くように設置されたパイプ材で構成されてなることを特徴とする請求項１から５のいずれか１項に記載の軽量気泡コンクリートパネル埋設用アンカー金物。
【請求項７】
前記挿通部が、プレート部に加工された穴部であることを特徴とする請求項１から５のいずれか１項に記載の軽量気泡コンクリートパネル埋設用アンカー金物。
【請求項８】
前記請求項１から７のいずれか１項に記載の軽量気泡コンクリートパネル埋設用アンカー金物を、アンカー金物本体の挿通部がパネル短辺小口に開口するように、かつアンカー金物本体の折り曲げ部がクリップにより補強鉄筋に固定されるように埋設されてなる軽量気泡コンクリートパネル。
【発明の詳細な説明】
【技術分野】
【０００１】
本発明は、軽量気泡コンクリートパネルを建物躯体に取付けるためのアンカー金物と、そのアンカー金物を埋設した軽量気泡コンクリートパネルに関するものである。
【背景技術】
【０００２】
軽量気泡コンクリート（ＡＬＣ）は、軽量で耐火性、耐熱性、施工性及び経済性に優れているために建材用パネルに成形され、ショッピングセンター等の大型建築物から戸建住宅のような小規模建築物まで幅広く使用されている。特に建築物の外壁材、間仕切材、床材、屋根材等として広く使用されている。
軽量気泡コンクリートパネル（ＡＬＣパネル）を外壁として採用する場合の建物躯体への一般的な取付け方法としては、図１８に示す通り軽量気泡コンクリートパネルＰの長さ方向の両端に設けた軽量気泡コンクリートパネル孔部Ｐ−３に、軽量気泡コンクリートパネルの製造工場で埋設したか、または建築現場にて後施工で埋設された、軽量気泡コンクリートパネルＰの裏面Ｐ−２に開口しているアンカー金物８の螺合部８−ｂに、ボルト等の螺合部材９とイナズマ型金物１０等の専用金物を介して建物駆体の受けアングル５に固定する方法が採用されている（例えば、非特許文献１参照。）。
【０００３】
アンカー金物を建築現場で軽量気泡コンクリートパネル内に埋設する場合には、図１９に示すようなパイプ材８−ａに螺合部８−ｂを設けたアンカー金物８を、軽量気泡コンクリートパネル短辺小口Ｐ−１あるいは長辺小口に現場で加工して設けた軽量気泡コンクリート孔部Ｐ−３に挿入し埋設する方法が一般的である。
また、アンカー金物をあらかじめパネルの製造工場で埋設する場合には、図２０（ａ）に示すような螺合部１２−ａと折り曲げ部１２−ｂとからなるアンカー金物１２をパネル内部の補強鉄筋Ｔに溶接等で固定し、図２０（ｂ）に示すように補強鉄筋ＴとともにＡＬＣパネル内部に埋設する方法があり、高耐力が要求される取付け箇所に採用される。
【０００４】
一方上記方法に対し、部材点数を減らしコストダウンを図る目的で、図２１に示す通り、軽量気泡コンクリートパネルＰの短辺小口Ｐ−１にあけた軽量気泡コンクリート孔Ｐ−３にアンカー金物１３を挿入し、アンカー金物１３を直接躯体の受けアングル５に溶接で固定する方法も採用されている。
この構造は、下がり壁の下部に使用する場合には、コストダウンできるとともに脚立等を用いた室内側からのボルト締め作業や溶接作業を行わずに済み、安全性の確保、作業効率の向上が図れる点や、あるいは下がり壁部分の梁下からの出寸法が短い場合に困難であったボルト締めが無く、作業効率の向上が図れる等のメリットがある。
また、この構造を下がり壁のみならずすべての部分に使用する場合には、取付金物が室内側に露出せず、内装仕上げしない場合でも使用可能であるというメリットもある。
【非特許文献１】住友金属鉱山シポレックス(株)  「シポレックス外壁構法」カタログ
【発明の開示】
【発明が解決しようとする課題】
【０００５】
図２１に示す構造は、上記の通り安価であり作業性の面でもメリットがあるが、図１８に示す構造に比べて取付部強度が低いため、低層建築物の取付けや取付部の負担荷重が少ない開口部パネルの取付け等にしか採用できないという問題があった。
本発明の目的は、取付部強度を確保でき一般の建物に広く採用可能なアンカー金物と、その金物を埋設したパネルを提供する事により、少ない取付部材で容易にパネルを取付けられるようにし、かつ見栄えの良い建物の壁を実現することにある。
また、アンカー金物をパネルに埋設する際、容易にパネルに埋設可能な構造とすることも目的としている。
【課題を解決するための手段】
【０００６】
上記課題を解決するために、本発明では、折り曲げ加工されたプレート部と、該プレート部に設けた挿通部からなるアンカー金物本体と、該アンカー金物本体を軽量気泡コンクリートパネル内部の補強鉄筋に固定するためのクリップとの組み合わせからなる軽量気泡コンクリートパネル埋設用アンカー金物とした。ここで前記クリップは、補強鉄筋を包み込むように形成された半筒状部とアンカー金物本体のプレート部を挟み込むためのスリットを有する２枚の平行な板状部材からなる側壁部から構成されている。
【０００７】
本発明の軽量気泡コンクリートパネル埋設用アンカー金物では、前記クリップのスリット上辺が山形に加工されていても良い。また、前記クリップのスリットが設けられている側壁部が、スリット上部付近で外側に折り曲げられているものであっても良い。さらに、前記クリップのスリット上辺が鋭角に切削されているものであっても良い。
このように形成しておけば軽量気泡コンクリートパネルがアンカー金物本体の板状部に点または線で接するようになるので、安定して固定することが可能となる。
本発明の軽量気泡コンクリートパネル埋設用アンカー金物では、前記挿通部がプレート部を貫くように設置されたパイプ材で構成されていても良く、またはプレート部に加工された穴部であっても良い。
【０００８】
本発明の軽量気泡コンクリートパネルは、上記本発明の各軽量気泡コンクリートパネル埋設用アンカー金物を、アンカー金物本体の挿通部がパネル短辺小口に開口するように、かつアンカー金物本体の折り曲げ部がクリップにより補強鉄筋に固定されるように埋設した軽量気泡コンクリートパネルである。
このような軽量気泡コンクリートパネルは、アンカー金物を軽量気泡コンクリートパネルに埋設する際に容易に埋設可能であり、充分な取付強度を確実に確保することができる。
【発明の効果】
【０００９】
本発明のアンカー金物を軽量気泡コンクリートパネルに埋設し、アンカー金物の挿通部に棒状部を有する取付金物を用いて軽量気泡コンクリートパネルを取付けた場合、取付部強度を確保でき、一般の建物に広く採用可能で、かつ少ない取付部材で容易に軽量気泡コンクリートパネルの取付けが可能となる。また、室内側に金物が露出しないため見栄えの良い建物の壁を実現することが出来る。
また、本発明のアンカー金物はアンカー金物本体とクリップで構成されており、従来技術で必要な補強鉄筋へ溶接作業を必要とせず、軽量気泡コンクリートパネルの製造工程で手で簡便に取付けることが可能である。よって、溶接設備等特別な設備を要さずかつ手作業でありながら効率よく取付けることが可能となる。
【発明を実施するための最良の形態】
【００１０】
以下、本発明について図面を参照しつつ詳細に説明する。
先ず、本発明のアンカー金物について説明する。
本発明のアンカー金物は、図１に示すアンカー金物本体１と図２に示すクリップ２の組み合わせからなる。
図１に示すようにアンカー金物本体１は平板を折り曲げ加工した折り曲げ部１−ｂを有するプレート部１−ａと、該プレート部１−ａに設けた挿通部１−ｃで構成されている。図１の例では挿通部１−ｃは、プレート部１−ａに設けた孔にパイプ材８−ａを挿入して構成されている。
図２に示すクリップ２は、補強鉄筋Ｔを包み込むように形成された半筒状部２−ａを有し、該半筒状部２−ａの両端から２枚の平行な板状部材からなる側壁部２−ｂ，２−ｂが延設されている。側壁部２−ｂ，２−ｂには、アンカー金物本体１の折り曲げ部１−ｂを挟み込んで補強鉄筋Ｔに固定するためのスリット２−ｃ，２−ｃが相対向して設けられている。
【００１１】
このアンカー金物をＡＬＣパネル内に埋設された補強鉄筋に固定するには、図３に示すように、クリップ２は半筒状部２−ａで補強鉄筋Ｔを包むようにセットして、補強鉄筋Ｔに沿わせながら移動させ、スリット２−ｃをアンカー金物本体１の折り曲げ部１−ｂにはさみ込むようにして、折り曲げ部１−ｂと補強鉄筋Ｔを固定する。
【００１２】
このようにアンカー金物を固定した補強鉄筋ＴをＡＬＣパネル内に埋設する。
軽量気泡コンクリート（ＡＬＣ）パネル内部には、補強鉄筋が厚さ方向にダブルで配置されている。軽量気泡コンクリートは通常、パネル内部に配置する補強鉄筋マットを型枠内に配置しておき、その後基材のコンクリートスラリーを流し込み、発泡後、所望の寸法に切断し、オートクレーブ養生して製造される。本発明のアンカー金物は、型枠内に配置される補強鉄筋マットにあらかじめ固定しておくことでパネル内に埋設する。
【００１３】
図４は、本発明のアンカー金物をＡＬＣパネル内へ埋設した状態を示す断面図である。
図４に示すようにアンカー金物本体１は、厚さ方向にダブルで配置される補強鉄筋Ｔ，Ｔ双方の内側に接するように、かつ挿通部１−ｃがＡＬＣパネルＰの短辺小口Ｐ−１に開口するように設置され、アンカー金物本体１の折り曲げ部１−ｂがクリップ２で固定されている。
このようにアンカー金物を補強鉄筋マットに固定した後、パイプ端部をシール等で塞ぎ、補強鉄筋マットを型枠内に設置し、基材のコンクリートスラリーを流し込み、発泡後、切断、オートクレーブ養生をして所定の小口加工を施してＡＬＣパネルが出来上がる。
このようにして出来たＡＬＣパネルＰは、建築現場において、挿通部１−ｃが開口するよう短辺小口Ｐ−１に孔あけを行い、建物躯体に取付けた下地鋼材に取付け金物を介して溶接で固定する。後述する取付け金物は棒状部と平板部を有している従来から使用されているものが利用でき、棒状部がパイプ内部に挿入され、平板部は下地鋼材に溶接により固定される構造である。
【００１４】
（クリップの固定位置について）
クリップによるアンカー金物の折り曲げ部の補強鉄筋への固定は、ダブル配筋とした補強鉄筋の双方に固定することより固定が確実であるが、パネル表面側（すなわち室外側）に配置される補強鉄筋のみとしてもよい。通常軽量気泡コンクリートを外壁材として用いる場合、正圧方向に作用する荷重に対しては、下地鋼材である定規アングルの起立片の全面が荷重を負担するため、アンカーが負担する荷重は負圧の荷重のみである。よって室内側に配置される補強鉄筋には接触のみにより荷重の伝達が可能であるため、室外側に配置される補強鉄筋にのみをクリップで固定する構造とした方が設置箇所が少なくなり、設置手間の削減とコストダウンにつながる。
【００１５】
（アンカー金物本体の形状について）
図１の例では、アンカー金物本体１の挿通部１−ｃは、プレート部１−ａを貫通するように設けられたパイプ材８−ａで構成されているが、図５に示す通りプレート部１−ａに加工された穴部１−ｄで構成しても良い。ただし、挿通部１−ｃをパイプ材８−ａで構成する場合の方が後に取付金物の棒状部を挿入する際の孔あけが簡便になるので好ましい。
挿通部１−ｃをパイプ材８−ａで構成する場合のパイプ材８−ａの内面の形状は、取付金物の棒状部が挿入できる形状であれば、円形でも方形でも多角形でもどのような形状でも良い。また、パイプ材を設けずに、プレート部に加工した穴部１−ｄで挿通部を構成する場合には、穴部１−ｄが取付け金物の棒状部が挿入可能な形状であれば良い。
アンカー金物本体１は、図３、図４に示すように、軽量気泡コンクリートパネル表面Ｐ−４側の補強鉄筋Ｔにのみクリップ２で固定する場合、クリップ２で固定する部分のみに折り曲げ部１−ｂを設け、固定しない部分は折り曲げ部を設けずに補強鉄筋Ｔに接するようにしておくだけの形状でもよいが、図６に示すようにクリップ２で固定しない部分についても折り曲げ部１−ｂを設けておくと、アンカー金物本体１を補強鉄筋Ｔに平行に設置でき、アンカー金物本体１の設置精度を高めることが出来る。また、クリップ２で固定しない部分は補強鉄筋Ｔに接することでパイプ材８−ａに伝達された荷重を補強鉄筋Ｔに伝える構造となるので、折り曲げ部１−ｂを設けることで補強鉄筋Ｔへの接触面積が大きくなり、より確実に荷重を伝達できる効果もある。
【００１６】
（アンカー金物のクリップの形状と固定方法について）
クリップ２の形状については、アンカー金物のマットへの固定の際、図７に示すクリップ２の半筒状部２−ａの内側からスリット上辺２−ｄまでの距離ａを、アンカー金物の折り曲げ部の板厚と補強鉄筋径を合算した数値に近い寸法としておけば、クリップの側壁部２−ｂと半筒状部２−ａの内面により折り曲げ部１−ｂと補強鉄筋Ｔを強く挟み込むことができて強固に固定が可能である。金物の製作誤差をある程度見込む場合には、距離ａをアンカー金物の折り曲げ部の板厚と補強鉄筋径を合算した数値よりも若干小さい寸法としておきプライヤー等で締めこんで固定することも有効である。
また、上記に加え図８に示すようにクリップ２１のスリット上辺２−ｄを山形にしておけば、アンカー金物本体１の曲げ部分１−ｂを挟み込んで締めこむ際に、山の部分が押し潰されて固定されるため、同様に金物の製作誤差をある程度吸収できる効果があるほか、より少ない力で固定することが可能である。さらに、図９に示すようにクリップ２２のスリット上辺２−ｄを削りこんで鋭角にした形状とすることや、図１０に示すようにクリップ２３のスリット上辺２−ｄ付近でクリップ２３の側壁部２−ｂを折り曲げた形状とすれば、より上記の効果を高めることが出来る。
また、クリップ２を上述の通り設置した後、図１１に示すようにペンチ等の工具３でクリップ２の側壁部２−ｂを挟み込んで締めれば、スリット上辺２−ｄがアンカー金物本体１の折り曲げ部１−ｂの上面に食い込み、クリップ２の側壁部２−ｂを折り曲げた場合と同様の効果を得ることが出来る。
図１２に示すクリップ２４は、図１に示したクリップ２のスリット上辺２−ｄ付近でクリップ２の側壁部２−ｂを外側に折り曲げた形状とした例であり、図１３に示すクリップ２５は、図８に示すクリップ２１の側壁部２−ｂを外側に折り曲げた形状とした例である。このようにクリップ２の２枚の側壁やスリット２−ｃのスリット上辺２−ｄは、適宜好ましい形状の組み合わせに加工して使用することができる。
【００１７】
（取付け構造について）
本発明のアンカー金物が埋設された軽量気泡コンクリートパネルの取付け構造について、建物の下がり壁の下部の取付ける場合を例に挙げて説明する。
本発明のアンカー金物が埋設された軽量気泡コンクリートパネルの取付けには、図１４や図１５に示すような棒状部４−ａと板状部４−ｂを有する取付金物４，４１を使用する。
図１６及び図１７は、本発明の軽量気泡コンクリートパネルＰを建物駆体Ｋに取り付ける際の断面構造を示す図である。
躯体Ｋには、軽量気泡コンクリートパネルＰの自重を受ける受けアングル５が取り付けられており、棒状部４−ａがアンカー金物本体１の挿通部１−ｃに挿入されるとともに、板状部４−ｂが受けアングル５に溶接されて取付けられた構造である。受けアングル５と板状部４−ｂの溶接は、図１６に示す例では取付金物４の板状部４−ｂを受けアングル５の上面５−ｂに載置されるように設置して、板状部４−ｂの下面と受けアングル５の刃５−ｃ部分を溶接する構造のほか、図１７に示す例では取付金物４の板状部４−ｂを受けアングル５の下面５−ａに掛けるように設置して、受けアングル５の下面５−ａと板状部４−ｂの側面を溶接する構造としても良い。しかし、前者の方が、取付金物の露出面積が小さく、見切り材などの仕上げを施さない場合においても見栄えが良く防水上も好ましい。
【産業上の利用可能性】
【００１８】
本発明のアンカー金物をパネルに埋設し、アンカー金物の挿通部に棒状部を有する取付金物を用いてパネルを取付けた場合、一般の建物に広く採用可能な取付部強度を確保でき、かつ、少ない取付部材で容易にパネルの取付けが可能となる。また、室内側に金物が露出しないため見栄えの良い建物の壁を実現することが出来る。
また、本発明のアンカー金物は、アンカー金物本体とクリップで構成されており、従来技術では必要な補強鉄筋へ溶接を必要とせず、軽量気泡コンクリートパネルの製造工程で手で簡便に取付けることが可能である。よって、溶接設備等特別な設備を要さずかつ手作業でありながら効率よく取付けることが可能となる。
【図面の簡単な説明】
【００１９】
【図１】本発明のアンカー金物を構成するアンカー金物本体を示す斜視図である。
【図２】本発明のアンカー金物を構成するクリップを示す斜視図である。
【図３】本発明のアンカー金物を補強鉄筋へ固定する方法を説明する図である。
【図４】本発明のアンカー金物をＡＬＣパネル内に埋設した状態を示す断面図である。
【図５】本発明のアンカー金物を構成するアンカー金物本体の他の例を示す斜視図である。
【図６】本発明のアンカー金物をした状態を示す斜視図である。
【図７】本発明のアンカー金物のクリップ寸法を説明する図である。
【図８】本発明のアンカー金物を構成する別のクリップを示す斜視図である。
【図９】本発明のアンカー金物を構成する別のクリップを示す斜視図である。
【図１０】本発明のアンカー金物を構成する別のクリップを示す斜視図である。
【図１１】本発明のアンカー金物を構成する別のクリップを示す斜視図である。
【図１２】本発明のアンカー金物を構成する別のクリップを示す斜視図である。
【図１３】本発明のアンカー金物の補強鉄筋への固定方法を説明する図である。
【図１４】本発明のアンカー金物の一例を示す斜視図である。
【図１５】本発明のアンカー金物の他の例を示す斜視図である。
【図１６】本発明のアンカー金物の埋設方法を示す断面図である。
【図１７】本発明のアンカー金物の別の埋設方法を示す断面図である。
【図１８】従来技術のパネル取付け構造の一例を示す断面図である。
【図１９】従来技術のアンカー金物とその埋設方法を説明する斜視図である。
【図２０】従来技術の別のアンカー金物の補強鉄筋への固定方法とその埋設方法を示す斜視図であり、（ａ）は補強鉄筋への固定方法を、（ｂ）はＡＬＣパネルへ埋設した状態を示す。
【図２１】従来技術の別のパネル取付け構造を示す断面図である。
【符号の説明】
【００２０】
１  アンカー金物本体
１−ａ  プレート部
１−ｂ  折り曲げ部
１−ｃ  挿通部
１−ｄ  穴部（挿通部）
２，２１，２２，２３，２４，２５  クリップ
２−ａ  半筒状部
２−ｂ  側壁部
２−ｃ  スリット
２−ｄ  スリット上辺
３  工具
４，４１  取付金物
４−ａ 棒状部
４−ｂ 板状部
５  受けアングル、
５−ａ  下面、
５−ｂ  上面、
５−ｃ  刃、
６  補強鋼材、
７  補強ピース、
８  アンカー金物
８−ａ  パイプ材
８−ｂ  アンカー金物の螺合部
９  螺合部材
１０  イナズマ型金物
１２  アンカー金物
１２−ａ  アンカー金物の螺合部
１２−ｂ  アンカー金物の折り曲げ部
１３  アンカー金物
１４  溶接部
Ｐ  軽量気泡コンクリートパネル
Ｐ−１  軽量気泡コンクリートパネル短辺小口
Ｐ−２  軽量気泡コンクリートパネル裏面
Ｐ−３  軽量気泡コンクリートパネル孔部
Ｐ−４  軽量気泡コンクリートパネル表面
Ｔ  補強鉄筋
Ｋ  建物躯体
【図１】
2008156877.tif 000003
【図２】
2008156877.tif 000004
【図３】
2008156877.tif 000005
【図４】
2008156877.tif 000006
【図５】
2008156877.tif 000007
【図６】
2008156877.tif 000008
【図７】
2008156877.tif 000009
【図８】
2008156877.tif 000010
【図９】
2008156877.tif 000011
【図１０】
2008156877.tif 000012
【図１１】
2008156877.tif 000013
【図１２】
2008156877.tif 000014
【図１３】
2008156877.tif 000015
【図１４】
2008156877.tif 000016
【図１５】
2008156877.tif 000017
【図１６】
2008156877.tif 000018
【図１７】
2008156877.tif 000019
【図１８】
2008156877.tif 000020
【図１９】
2008156877.tif 000021
【図２０】
2008156877.tif 000022
【図２１】
2008156877.tif 000023